(57)【特許請求の範囲】
【請求項１】
金属製の長方形の板状のナットと、その一端側が前記ナットに固着された弾性を有する金属製の薄板状の支持舌片とから成り、中空部材に設けられた下穴に長さ方向に挿入して用いるナット体であって、ナットは厚さ方向に貫通するメネジと、支持舌片が固着された側のメネジの開口周辺に中空部材の下穴に嵌合する凸部を有し、ナット体の挿入方向側を先端、他の側を後端とした時に、支持舌片は中間部にナットの凸部を収容する開口と、先端部にナットと固着する固着端を設け、この固着端に続けて板状のナットから遊離する「へ」の字状に屈曲した屈曲部を設け、固着端にはその両側を先端側からナットのメネジ中心線とメネジの内周面の先端側の端との間の任意の位置までの長さにおいて、ナットの側面に沿って「コ」の字状に折り曲げた折り曲げ部を有し、折り曲げ部を有する一端側を、ナットの挿入方向に向かってほぼ前半分にナットの凸部が支持舌片の開口に少なくともその一部が嵌合するようにして固着したナット体である。
【請求項２】
金属製の長方形の板状のナットと、その一端側が前記ナットに固着された弾性を有する金属製の薄板状の支持舌片とから成り、中空部材に設けられた下穴に長さ方向に挿入して用いるナット体であって、ナットは厚さ方向に貫通するメネジと、支持舌片が固着された側のメネジの開口周辺に中空部材の下穴に嵌合する凸部を有し、ナット体の挿入方向側を先端、他の側を後端とした時に、支持舌片は中間部に前記ナットの凸部を収容する開口と、先端部にナットと固着する固着端を設け、この固着端に続けて前記ナットから遊離する「へ」の字状に屈曲した屈曲部を設け、中間部の開口を挟んで後端部に、中空部材に設けられた下穴の直径よりも大きい幅を有する拡大部を設け、固着端にはその両側を先端側からナットのメネジ中心線とメネジの内周面の先端側の端との間の任意の位置までの長さにおいて、ナットの側面に沿って「コ」の字状に折り曲げた折り曲げ部を有し、折り曲げ部を有する一端側を、ナットの挿入方向に向かってほぼ前半分にナットの凸部が支持舌片の開口に少なくともその一部が嵌合するようにして固着したナット体である。
【請求項３】
金属製の長方形の板状のナットと、その一端側が前記ナットに固着された弾性を有する金属製の薄板状の支持舌片とから成り、中空部材に設けられた下穴に長さ方向に挿入して用いるナット体であって、ナットは厚さ方向に貫通するメネジと、支持舌片が固着された側のメネジの開口周辺に中空部材の下穴に嵌合する凸部を有し、ナット体の挿入方向側を先端、他の側を後端とした時に、凸部を有する面のナットの後端部に支持舌片の厚さに相当する肉厚部を設け、支持舌片は中間部に前記ナットの凸部を収容する開口と、先端部にナットと固着する固着端を設け、この固着端に続けて前記ナットから遊離する「へ」の字状に屈曲した屈曲部を設け、中間部の開口を挟んで後端部に、中空部材に設けられた下穴の直径よりも大きい幅を有する拡大部を設け、固着端にはその両側を先端側からナットのメネジ中心線とメネジの内周面の先端側の端との間の任意の位置までの長さにおいて、ナットの側面に沿って「コ」の字状に折り曲げた折り曲げ部を有し、折り曲げ部を有する一端側を、ナットの挿入方向に向かってほぼ前半分にナットの凸部が支持舌片の開口に少なくともその一部が嵌合するようにして固着したナット体である。
【請求項４】
金属製の長方形の板状のナットと、その一端側が前記ナットに固着された弾性を有する金属製の薄板状の支持舌片とから成り、中空部材に設けられた下穴に長さ方向に挿入して用いるナット体であって、ナットは厚さ方向に貫通するメネジと、支持舌片が固着された側のメネジの開口周辺に中空部材の下穴に嵌合する凸部を有し、ナット体の挿入方向側を先端、他の側を後端とした時に、支持舌片は中間部に前記ナットの凸部を収容する開口と、先端部にナットと固着する固着端を設け、この固着端に続けて前記ナットから遊離する「へ」の字状に屈曲した屈曲部を設け、固着端にはその両側を先端側からナットのメネジ中心線とメネジの内周面の先端側の端との間の任意の位置までの長さにおいて、ナットの側面に沿って「コ」の字状に折り曲げられ、さらにナットの背面方向に折り曲げられた折り曲げ部を有し、折り曲げ部を有する一端側を、ナットの挿入方向に向かってほぼ前半分にナットの凸部が支持舌片の開口に少なくともその一部が嵌合するようにして固着したナット体である。
【発明の詳細な説明】
【０００１】
【発明の属する技術】
産業機器などにおいて、中空部分に部品をボルトで固定または機器の組み立てに用いるナット体に関する。
【０００２】
【従来の技術】
パイプのような、中空部分の端部に開口部を有する場合を例として従来技術を説明すると、長い棒状の支持具の先端に仮止めしたナットを開口部から中空の内部深く挿入しながら取り付け穴に位置を合わせて、取り付ける部品をボルトで固定している。
【０００３】
あるいは車両のボディのように２枚の鋼板を溶接などの手段で袋状に接合した開口部を有しない産業機器の場合は、溶接の前にあらかじめ金属ナットを内側に溶接しておき、これに機器の表側から部品をボルトで固定している。
【０００４】
【発明が解決しようとする課題】
従来の方法によると、棒状の支持具を用いる場合は、奥深い部分でナットの位置を固定部に合わせる作業が困難で時間も要した。
【０００５】
あらかじめ所定の位置に確実にナットを溶接できる場合はそのような課題は有しないが、実用上において、袋状に接合して中空部材となった後で部品の取り付け位置が変更になる場合や一部の製品においてのみ取り付ける必要のある部品の場合などは、あらかじめナットを溶接しておくことは困難である。
【０００６】
このような場合は、手の入らない中空部分にナットを入れることはできず、ボルトとナットによる固定は不可能となるか、特殊な工具類を必要とした。
【０００７】
【課題を解決するための手段】
上記のような課題を解決するため、請求項１の発明は金属製の長方形の板状のナットと、その一端側が前記ナットに固着された弾性を有する金属製の薄板状の支持舌片とから成り、中空部材に設けられた下穴に長さ方向に挿入して用いるナット体であって、ナットは厚さ方向に貫通するメネジと、支持舌片が固着された側のメネジの開口周辺に中空部材の下穴に嵌合する凸部を有し、ナット体の挿入方向側を先端、他の側を後端とした時に、支持舌片は中間部にナットの凸部を収容する開口と、先端部にナットと固着する固着端を設け、この固着端に続けて板状のナットから遊離する「へ」の字状に屈曲した屈曲部を設け、固着端にはその両側を先端側からナットのメネジ中心線とメネジの内周面の先端側の端との間の任意の位置までの長さにおいて、ナットの側面に沿って「コ」の字状に折り曲げた折り曲げ部を有し、折り曲げ部を有する一端側を、ナットの挿入方向に向かってほぼ前半分にナットの凸部が支持舌片の開口に少なくともその一部が嵌合するようにして固着した構成を採用したものである。
【０００８】
請求項２の発明は請求項１の発明において、支持舌片は固着端の他端に下穴の直径よりも大きい幅を有する拡大部を有する構成を採用したものである。
【０００９】
請求項３の発明は請求項２の発明において、凸部を有する面のナットの後端部に支持舌片の厚さに相当する肉厚部を設けた構成を採用したものである。
【００１０】
請求項４の発明は、支持舌片は中間部に前記ナットの凸部を収容する開口と、先端部にナットと固着する固着端を設け、この固着端に続けて前記ナットから遊離する「へ」の字状に屈曲した屈曲部を設け、固着端にはその両側を先端側からナットのメネジ中心線とメネジの内周面の先端側の端との間の任意の位置までの長さにおいて、ナットの側面に沿って「コ」の字状に折り曲げられ、さらにナットの背面方向に折り曲げられた折り曲げ部を有する構成を採用したものである。
【００１１】
【発明の実施の形態】
実施の形態について図面を参照して説明すると、図１と図２において金属製の長方形の板状のナット１と、その一端側が前記ナット１に固着された弾性を有する金属製の薄板状の支持舌片２とから成り、中空部材に設けられた下穴１２に長さ方向に挿入して用いるナット体であって、ナット１は厚さ方向に貫通するメネジ３と、支持舌片２が固着された側のメネジ３の開口周辺に中空部材の下穴１２に嵌合する凸部４を有し、ナット１の他面の２つの長辺に曲面またはテーパ面などの側壁傾斜面５、５′を有し、ナット体の挿入方向側を先端、他の側を後端とした時に、支持舌片２は中間部に前記ナット１の凸部４を収容する開口６と、先端部にナット１と固着する固着端を設け、この固着端に続けて前記ナット１から遊離する「へ」の字状に屈曲した屈曲部９、９′を設け、中間部の開口を挟んで後端部に、中空部材に設けられた下穴１２の直径ｄ１よりも大きい幅ｄ２を有する拡大部７を設け、固着端にはその両側を先端側からナット１のメネジ中心線ｃ１とメネジの内周面の先端側の端ｃ２との間の任意の位置までの長さにおいて、ナット１の側面に沿って「コ」の字状に折り曲げた折り曲げ部８、８′を有し、折り曲げ部８、８′を有する一端側を、ナット１の挿入方向に向かってほぼ前半分にナット１の凸部４が支持舌片２の開口６に少なくともその一部が嵌合するようにして溶接・接着・圧入・ねじ・カシメなどの手段で固着したナット体である。
【００１２】
支持舌片２の開口６は折り曲げ部８、８′を有する側においてはナット１の凸部４を十分に収容する形状を有しているが、他の側においては凸部４よりも小さい部分を設けて、凸部４を開口６に完全に収容できないようにしてもよい。
【００１３】
ナット１の挿入方向からみて後端側短辺の中空部材に接する辺には曲面やテーパ面のような傾斜面１０を設けてもよい。
【００１４】
本発明によるとナット１の中空部材裏面に接する面は、ほぼ下半分が固着された薄い支持舌片２によって覆われているため、覆われていない上半分とのわずかな段差が生じるが、この段差が何等かの障害になるような場合はナット１の上半分に支持舌片２の厚さに相当する肉厚部１１を設けてもよい。
【００１５】
本発明のナット体を使用する場合は、支持舌片２の「へ」の字状に屈曲しナット１と遊離した部分をナット１に接するようにして指で押さえながら中空部材に設けられた下穴１２に挿入する（図３）。
【００１６】
ナット１を中空部内に完全に挿入した後、支持舌片２の拡大部７を手前に引き凸部４を下穴１２に嵌合させ（図４）、つづいて支持舌片２を下方に折り曲げる（図５）。
【００１７】
この工程において、本発明のナット体は「コ」の字状に折り曲げた折り曲げ部８、８′を有しているために、支持舌片２の拡大部７が強く引き寄せられても、屈曲部９よりもさらに先端が曲げられることを防ぐことができる。
【００１８】
この状態においては支持舌片２を下方に十分に折り曲げても支持舌片２の復元弾性によって支持舌片２は中空部材に密着せず反発し、この支持舌片２に固着したナット１に間隙１３を生じた傾斜状態で掛止されており、図５に示すようにナット１は直立せず、この状態でボルトをねじ込むと「かみ合い」によるねじ込み不能問題が発生しやすい。
【００１９】
しかし、折り曲げられた拡大部７はその弾性により中空部材から浮き上がった状態で掛止されている（図５に示す）ために、図６に示すように、固定する部品１４などを中空部材に押し当てる時に拡大部７がｆ１の方向に押される動きが生じて、そのほぼ前半分（図５ではほぼ下半分）が支持舌片２に連結して固着されたナット１は拡大部７の動きに連動してｆ２の方向に引き寄せられ直立し、ボルト１５を挿入してねじ込む時に「かみ合い」が発生しにくくなるという効果を生じる。
【００２０】
このようにして、手の入らない中空部材に対して表面側から本発明のナット体を挿入することで部品などのボルト固定が容易にできるという効果を有する。
【００２１】
支持舌片２の屈曲部９、９′をメネジの中心線ｃ１とメネジの内周面の先端側の縁ｃ２との間の任意の位置の長さの位置、例えば支持舌片２の拡大部７を除く部分の幅と図２に示す下穴１２との交点ａまたはその近くにおいて設けることによって、図５に示す支持舌片２の下方への折り曲げ時に支持舌片２の外側縁が下穴の周壁に接しているためにナット体１が下方に引き下げられることを防ぐことができると同時に、ボルトのねじ込みに際してもナット１のメネジ部の左右を支持しているためにナット１がボルト先端で押されても傾斜しにくいために「かみ合い」を防止するという効果、ナットの大きさに比べて最小の下穴径を選択できるという効果を有し、一方従来主として建築用として公知の「トグル式」と称されるメネジを有する棒状のナット体とを対比するため図７に示す特公昭３６−１８８５５号や図８に示す米国特許３，６０５，５４７号に開示されたものを例としてあげるとヒモ状の支持帯が、挿入時の位置でメネジの前方または挿入後の位置で下方に位置するために本発明と思想、構成が異なり、本発明が有する支持舌片の両側が図２の交点ａで下穴の周壁に接してナットの下方への移動を防ぎつつボルト挿入時にメネジ部の左右を支持することでナットの傾斜を防ぐなどの作用効果を有しない。
【００２２】
支持舌片２の開口６は折り曲げ部８、８′を有する側においてはナット１の凸部４を十分に収容する形状を有しているが、他の側においては凸部４よりも小さい部分を設けて、凸部４を開口６に完全に収容できないようにした場合は図３に示す支持舌片２を指でナット１に接するようにして圧っし中空部材に設けられた下穴に挿入する時に、支持舌片２は凸部４が障害物となってナット１と完全に密着できないまま強制的に支持舌片がたわむようにして狭い下穴に挿入されるので、挿入後にナット１は下穴による束縛から解放され反発して直立方向へ少し動き、支持舌片２の拡大部７を引き寄せた時にナット１の直立方向への回転を容易にすることができるという効果を有する。
【００２３】
ナット１の挿入方向からみて後端側短辺の中空部材に接する辺には曲面やテーパ面のような傾斜面１０を設けた場合は本発明のナット体を中空部材に挿入後、引き寄せる時にこの傾斜面１０が最初に中空部材裏面に接して擦るため、傾斜面を設けることでナット１の直立方向への回転を容易にすることができる。
【００２４】
【発明の効果】
以上のように、この発明によると、産業機器などにおいて、中空部分に部品をボルトで固定または機器の組み立てをおこなう時に、あらかじめナットを溶接などの手段で固定しておく必要がなく、あるいはナットの用意されていない箇所であっても、特殊な棒状の支持具などを必要とせず、表側からの作業だけでナットを挿入し部品などをボルトを用いて固定することができる。
【図面の簡単な説明】
【図１】本発明のナット体の例を示す斜視図である。
【図２】同、下穴へ挿入後の正面図である。
【図３】同、下穴への挿入状態を示す側面の一部断面図である。
【図４】同、下穴へ挿入した直後の状態を示す側面の一部断面図である。
【図５】同、支持舌片を折り曲げた状態を示す側面の一部断面図である。
【図６】同、取付け部品をボルトで螺締する状態を示す側面の一部断面図である。
【図７】従来例、特公昭３６−１８８５５号を示す参考図である。
【図８】従来例、米国特許３，６０５，５４７号を示す参考図である。
【符号の説明】
１．ナット
２．支持舌片
３．メネジ
４．凸部
５．側壁傾斜部
６．開口
７．拡大部
８、８′．折り曲げ部
９、９′．屈曲部
１０．傾斜面
１１．肉厚部
１２．下穴
【図１】
0004061605.tif 000002
【図２】
0004061605.tif 000003
【図３】
0004061605.tif 000004
【図４】
0004061605.tif 000005
【図５】
0004061605.tif 000006
【図６】
0004061605.tif 000007
【図７】
0004061605.tif 000008
【図８】
0004061605.tif 000009